(57)【要約】【課題】下方に固定板を設け、固定板を介してヘルメットに接続するため、様々な形状に形成することができるとともに、シールドが傷つきにくいヘルメットのつばを提供する。【解決手段】  下方に固定板を具えてなるヘルメットのつばであって、該固定板はヘルメットの外側前方上方端縁部に貼着し、つばと固定接続するとともに、表面に複数の固定部材を具えてなり、該固定部材がヘルメットの外側前方上方端縁部に設けられた複数の固定部材に対応する位置に設けられるため、つばが下方の固定板を通してヘルメットの外側の前方上方端縁部に設けられる。【選択図】  図３
0003132080.tif 000002
【実用新案登録請求の範囲】
【請求項１】
下方に固定板を具えてなるヘルメットのつばであって、
該固定板はヘルメットの外側前方上方端縁部に貼着し、つばと固定接続するとともに、表面に複数の固定部材を具えてなり、該固定部材がヘルメットの外側前方上方端縁部に設けられた複数の固定部材に対応する位置に設けられるため、つばが下方の固定板を通してヘルメットの外側の前方上方端縁部に設けられることを特徴とするヘルメットのつば。
【請求項２】
前記固定板の両側がつばの両側と固定接続することを特徴とする請求項１に記載のヘルメットのつば。
【請求項３】
前記つばに設けられた固定板が上下に滑動することを特徴とする請求項１に記載のヘルメットのつば。
【請求項４】
前記つばが下方にシールドを設けることを特徴とする請求項１に記載のヘルメットのつば。
【請求項５】
前記つばが両側にそれぞれ滑動部材を設けてつばの内面両側に固定されることを特徴とする請求項４に記載のヘルメットのつば。
【請求項６】
前記シールドが両側にそれぞれ滑動部材を設けて固定板の外面両側に固定されることを特徴とする請求項４に記載のヘルメットのつば。
【請求項７】
前記シールドが上方端縁部に固定部材を設けて固定板に固定されることを特徴とする請求項４に記載のヘルメットのつば。
【請求項８】
前記固定板が前方に延伸した鍔状に形成されることを特徴とする請求項１に記載のヘルメットのつば。
【請求項９】
前記つばが両側にヘルメットの外部両側に設けられた固定部材に対応する固定部材を設けることを特徴とする請求項１に記載のヘルメットのつば。
【請求項１０】
前記固定板が両側にヘルメット外部両側に設けられた固定部材に対応する固定部材を設けることを特徴とする請求項１に記載のヘルメットのつば。
【考案の詳細な説明】
【技術分野】
【０００１】
この考案は、ヘルメットのつばに関し、特に着脱可能なヘルメットのつばに関する。
【背景技術】
【０００２】
現在、市場で販売されている着脱可能なヘルメットのつばは、つばをヘルメットに固定する場合、次の３つの方法がある。
【０００３】
第一の固定方法は、図１に開示するように、ヘルメット４の本体外部の両側面にそれぞれネジ孔８を形成する。つば７の両側にもそれぞれ該ネジ孔８に対応する位置に孔９を形成する。つば７の孔９とヘルメットのネジ孔８とを合わせて螺接し、ヘルメット４につば７を固定する。
【０００４】
第二の固定方法は、図２に開示するように、ヘルメット４を着用した時に使用者の額の上方に当たる外側前方端縁部にボタン１０を設ける。ボタン１０は通常３箇所に１つずつ設けられる。つば７にも該ボタン１０に対応する位置にボタン１１を設け、該ヘルメット４のボタン１０とつば７のボタン１１を嵌合させてヘルメット４につば７を固定する。
【０００５】
第三の固定方法は上述の第二の方法に類似し、ヘルメットの外部前方にネジ孔を通常３つ形成する。また、つばにも該ネジ孔に対応する位置に孔を設ける。ヘルメットのネジ孔とつばの孔の位置を合わせて螺接してヘルメットにつばを固定する。
【０００６】
しかしながら、第二及び第三の方法はつば上にもボタン、もしくは孔を設けてつばをヘルメットの前方外側に固定するため、つばを固定した後、螺子、或いはボタンがヘルメットから非常に突出して見えるため外観の美しさが損なわれる。また、つば上のボタン、或いは孔は、ヘルメットの表面に貼着させないと、ヘルメットにつばを固定することができない。
【０００７】
よって、つばはヘルメットに密着するように薄く、或いは接続部分を凹状に形成してボタンや孔を形成しなければならない。このためつばの外観のデザインがボタン、或いは孔により制限され、個性的なデザインに形成することができず立体的な形状をしているだけである。また、表面にもボタン、或いは孔を設けなければならないため、凹凸が目立つ。
【０００８】
また、第一の方法ではヘルメットの両側（前方上方端縁部ではない）でつばを固定するためつばを様々なデザインに形成することができる。このため、市場で販売されている第一の固定方法を採用したヘルメットは様々なデザインのものがある。
【０００９】
また、ヘルメットのシールドはアクリル、ＰＥ、ＰＣなどプラスチック材料から形成されることが多い。しかしながら、これらの材質は傷つき易い。また、ヘルメットの関連業者は、シールドが傷つけられるのは、使用していない時に多いということを発見した。例えば、ヘルメットを外した後、何かにぶつけたり、落としたりして傷つけたり、オートバイの物入れ内で何かとぶつかって傷つけたり、オートバイの物入れの蓋で傷つけるなどがある。何度も傷つけられることによりシールドは表面が傷ばかりになり周囲の状況などをはっきり写して確認することができなくなる。
【考案の開示】
【考案が解決しようとする課題】
【００１０】
この考案は、下方に固定板を設け、固定板を介してヘルメットに接続するため、様々な形状に形成することができるとともに、シールドを保護するヘルメットのつばを提供することを課題とする。
【課題を解決するための手段】
【００１１】
そこで、本考案者は従来の技術に見られる欠点に鑑みて鋭意研究を重ねた結果、下方に固定板を設け、固定板を介してヘルメットに接続するため、様々な形状に形成することができるとともに、シールドを保護するヘルメットのつばであって、
下方に固定板を具えてなり、該固定板はヘルメットの外側前方上方端縁部に貼着し、つばと固定接続するとともに、表面に複数の固定部材を具えてなり、該固定部材がヘルメットの外側前方上方端縁部に設けられた複数の固定部材に対応する位置に設けられるため、つばが下方の固定板を通してヘルメットの外側の前方上方端縁部に設けられることを特徴とするヘルメットのつばの構造によって課題を解決できる点に着眼し、かかる知見に基づいて本考案を完成させた。
【００１２】
以下、この考案について具体的に説明する。
請求項１に記載のヘルメットのつばは、下方に固定板を具えてなるヘルメットのつばであって、
該固定板はヘルメットの外側前方上方端縁部に貼着し、つばと固定接続するとともに、表面に複数の固定部材を具えてなり、該固定部材がヘルメットの外側前方上方端縁部に設けられた複数の固定部材に対応する位置に設けられるため、つばが下方の固定板を通してヘルメットの外側の前方上方端縁部に設けられる。
【００１３】
請求項２に記載のヘルメットのつばは、請求項１における固定板の両側がつばの両側と固定接続する。
【００１４】
請求項３に記載のヘルメットのつばは、  請求項１におけるつばに設けられた固定板が上下に滑動する。
【００１５】
請求項４に記載のヘルメットのつばは、請求項１におけるつばが下方にシールドを設ける。
【００１６】
請求項５に記載のヘルメットのつばは、請求項４におけるつばが両側にそれぞれ滑動部材を設けてつばの内面両側に固定される。
【００１７】
請求項６に記載のヘルメットのつばは、請求項４におけるシールドが両側にそれぞれ滑動部材を設けて固定板の外面両側に固定される。
【００１８】
請求項７に記載のヘルメットのつばは、請求項４におけるシールドが上方端縁部に固定部材を設けて固定板に固定される。
【００１９】
請求項８に記載のヘルメットのつばは、請求項１における固定板が前方に延伸した鍔状に形成される。
【００２０】
請求項９に記載のヘルメットのつばは、請求項１におけるつばが両側にヘルメットの外部両側に設けられた固定部材に対応する固定部材を設ける。
【００２１】
請求項１０に記載のヘルメットのつばは、請求項１における固定板が両側にヘルメット外部両側に設けられた固定部材に対応する固定部材を設ける。
【考案の効果】
【００２２】
この考案によるヘルメットのシールドは、さまざまな立体的な形状に設計することができ、美しい外観を具えてなるため、購入者を増加させる効果を有する。
【００２３】
また、この考案によるヘルメットのシールドは、ミラーを設ける場合、シールドがミラーを保護する作用を具えるため、ミラーの使用寿命が延びるという効果を有する。
【００２４】
この考案によるヘルメットのシールドは、下方に設ける固定板には外接式の部材を接続することができるため、ユーザーの好みに応じて外接式、ミラー、或いは移動式のミラーなど形態をさまざまに形成することができるという効果を有する。
【考案を実施するための最良の形態】
【００２５】
この考案は、下方に固定板を具えてなるヘルメットのシールドであって、
該固定板はヘルメットの外側前方上方端縁部に貼着し、つばと固定接続するとともに、表面に複数の固定部材を具えてなり、該固定部材がヘルメットの外側前方上方端縁部に設けられた複数の固定部材に対応する位置に設けられるため、つばが下方の固定板を通してヘルメットの外側の前方上方端縁部に設けられる。ヘルメットのつばの構造と特徴を詳述するために具体的な実施例を挙げ、図示を参照にして以下に説明する。
【実施例】
【００２６】
この考案のヘルメットのつば３は、図３、４に開示するように、下方にヘルメット４の前方上方端縁部に貼着する固定板１を具えてなる。該固定板１とつば３は一体に成型するか、粘着する、夾持する、釘などで穿接する、ボタンで嵌合する、係合する、挿接する、螺接するなどの方法で固定接続する。
【００２７】
また、固定板上にはヘルメットの外側の前方上方端縁部に設けられた固定部材（ボタン、或いはネジ孔）に対応する位置に固定部材２（ボタン、或いはオス・メス２つのヘッドを具えたボタン、或いは孔など）を設ける。
【００２８】
固定板１は図５に開示するように、両側を釘１２、或いはネジでつば３の両側と接続して設ける。よって固定板１がつば３の上方で、ヘルメットの外側を上下に滑動自在に設けられる。また、固定板がヘルメットの外側前方端縁部に固定されていると、つばがヘルメットの外側を上下に滑動する。
【００２９】
固定板１の両側とつば３の両側とは、一体に成型するか、粘着する、夾持する、釘などで穿接する、ボタンで嵌合する、係合する、挿接する、螺接するなどの方法で接続してもよい。また、必要に応じて固定板とシールドの後方側面を固定接続してもよい。
【００３０】
また、つば３は下方にシールド５を設けてもよい。該シールド５は両側を回動部材６（釘、ネジなど）でつば３の内面の両側に固定する。よって、シールドが上下に滑動自在に設けられる。
【００３１】
また、図７に開示するように、シールド５は両側を回動部材６（釘、ネジなど）で固定板１の外部両側と接続する。よって、シールド５が上下に滑動自在に設けられる。
【００３２】
さらに、シールド５は上端縁部に固定部材（ボタン、ネジなど）で固定板上に固定するか、或いは固定板上にオス、メス二つの頭を具えたボタン、或いは孔で固定してもよい。
【００３３】
つば３の下方に設けた固定板は、図６に開示するように、前方に延伸させて太陽光線を遮断したり、雨を防いだりできるように帽子のつば状に形成してもよい。
【００３４】
つば３の両側にはヘルメットの外側の両側に設けられた固定部材に対応する位置に固定部材を設けて、つばをヘルメットの外側に固定する場合の固定力を強化することができる。
【００３５】
固定板の両側には、ヘルメットの外側の両側に設けられた固定部材に対応する位置に固定部材を設けて、ヘルメットの外側に固定板を設ける場合の固定力を強化することができる。
【００３６】
固定板１の表面には、ヘルメットの前方上方端縁部に設けられた固定部材（ボタン、或いはネジ孔）に対応する位置に固定部材２（ボタン、或いはオス・メスの２つのヘッドを具えたボタン、或いは孔）を設ける。
【００３７】
この考案のヘルメットは、従来、シールド３上に設けられていたヘルメットの前方上方端縁部に固定接続するための固定部材を全てシールドの下方に設けた固定板上に移動した。よって、シールドは、下方の固定板を通してヘルメットの前方上方端縁部に固定される。このため、シールドをデザインする場合、ボタン、或いは孔の位置などの影響を受けることがない。また、シールドは下方の固定板（固定板上に設けられた固定部材を含む）を被覆するため、接続部分が保護されるとともに、美観を高める。
【００３８】
この考案では、つばと固定板との距離が近すぎる場合、固定板上の固定部材とヘルメットの外側前方上方端縁部に設けられた固定部材とを嵌合する時に上方のつばが障害になる。よって、つばと固定板とが相互に滑動させると、それぞれの位置を離すことができる。よって、つばが固定板とヘルメットとを嵌合する場合の障害になることを防ぎ、固定された後、再びつばの位置を戻せばよいため便利である。
【００３９】
また、比較的大きくデザインされたつばは、他の部材を組み合わせた後、ヘルメットをシートの下に形成された収納部に入れると大きな空間を占める。しかしながら、この考案のヘルメットは、ヘルメットの外側をつばが上下に滑動させることができるため、収納時につばを下方向に移動して折り合わせるようにして体積を縮小させることができる。
【００４０】
さらに、早朝、或いは夕方など太陽の光線が低い角度で照射され、且つオートバイの走行方向に対向する方向から光線が照射される場合、太陽の光線が運転手の目に直接照射される。よって、運転手は前方の状況をはっきりと確認することができない。この考案のヘルメットは、ヘルメットの外側につばが上下に滑動自在に設けられている。このため、運転手はつばの位置を上下に調整して適宜に太陽の光線を遮断することができる。
【００４１】
ヘルメットにシールドを設ける場合、つばをシールドの前方で下方に移動して折り合わせたような状態に設けることができるため、収納時にシールドが傷つかないように保護することができる。
【００４２】
固定板の両側とつばの両側とを固定接続すると、シールドが湾曲して固定板とつばとの間に三日月状の空間が形成され、該空間がシールドを外した時の収納空間として使用することができる。
【００４３】
つばをデザイン的な形状に形成して、両側が延伸してヘルメットの両側の固定部材（前方上方端縁部の固定部材ではない）を被覆するように設けることができる。即ち、つばの両側が延伸した部分のヘルメットの両側に設けられた固定部材に対応する位置に固定部材が設けられるため、つばをヘルメットに固定する固定力を強化することができる。
【００４４】
固定板をデザイン的な形状に形成して、両側が延伸してヘルメットの両側の固定部材（前方上方端縁部の固定部材ではない）を被覆するように設けることができる。即ち、固定板の両側の延伸した部分のヘルメットの両側に設けられた固定部材に対応する位置に固定部材が設けられるため、固定板をヘルメットに設ける場合の固定力を強化することができる。
【００４５】
前述の説明のように、ヘルメットの外側にも固定部材（前方上方端縁部の固定部材ではない）を専用に設けて、つば、或いは固定板をヘルメットに設ける場合の固定力を強化することができる。
【００４６】
図６に開示するように、つば３の下方の固定板１は前方に延伸した鍔状に形成し、つば３を上方に移動させると、ヘルメットの前方上方に上下に２枚の鍔が形成された状態になり、日差しや雨を防ぐことができる。
【００４７】
つばの下方の固定板上にオス・メスの２つのヘッドを具えたボタン、或いは孔を設ける場合、固定板の外部に他の部材を接続することができる。例えば、外接式のつば、或いはシールドを設けることができる。外接式のつば、或いはシールドは、固定板に対応する位置に孔を具えてなり、ネジを外接式のつば、或いはシールドの孔に貫通させてから固定板の孔に挿入してヘルメットの外側に螺接することができる。
【００４８】
また、外接式のつば、或いはシールドは、オスとメスの２つのヘッドを具えたボタンを設け、外接式のつば、或いはシールドのヘルメットに対向する側面（メスボタン）をヘルメットのつば、或いはシールドに対向する側面（オスボタン）に固定することができる。
【００４９】
固定板上のボタンにオスとメスの２つのヘッドを具えたボタンを設けて外接式のつば、或いはシールドを設けてもよい。外接式のつば、或いはシールドは、固定板に対応する位置にボタンを設けて、固定板のヘルメットに対向する側面（メスボタン）をヘルメットの固定板に対向する側面（オスボタン）に固定接続する。そして固定板のつば、或いはシールドに対向する側面（オスボタン）と外接式のつば、或いはシールドの固定板に対向する側面（メスボタン）とを固定接続する。
【００５０】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００５１】
【図１】従来のヘルメットの構造を示した斜視図である。
【図２】従来のヘルメットの構造を示した斜視図である。
【図３】この考案によるヘルメットのつばを示した説明図である。
【図４】この考案によるヘルメットの使用状態を示した説明図である。
【図５】この考案によるヘルメットのつばの移動を示した説明図である。
【図６】この考案によるヘルメットのつばを上方に移動した状態を示した説明図である。
【図７】この考案によるヘルメットのつばの使用状態を示した説明図である。
【符号の説明】
【００５２】
１ 固定板
２ 固定部材
３ つば
４ ヘルメット
５ シールド
６ 回動部材
７ つば
８ ネジ孔
９ 孔
１０ ボタン
１１ ボタン
１２ 釘
【図１】
0003132080.tif 000003
【図２】
0003132080.tif 000004
【図３】
0003132080.tif 000005
【図４】
0003132080.tif 000006
【図５】
0003132080.tif 000007
【図６】
0003132080.tif 000008
【図７】
0003132080.tif 000009